(57)【特許請求の範囲】
【請求項１】
ネットワークに結合された第１のワイヤレス無線局と、通信フレームの少なくとも一つのタイムスロットを介して該第１のワイヤレス無線局とワイヤレス通信するよう配置された第２のワイヤレス無線局とを有し、
上記第１の局はマスタクロックを有し、同期パターンを含むメッセージを上記第２の局に送信するため配置され、
上記第２の局は、電力管理回路及び局部タイミング回路を有し、少なくとも能動受信モード及び省電力モードで動作するように制御可能であり、上記省電力モードが上記能動モードを除くメッセージの受信の狭間に採用されるディジタルワイヤレス通信システムにおいて、
上記第２の局は、メッセージの受信の狭間の所定の時間間隔中に、同期パターンの予測到達時間と実際の同期パターンの到達時間との累積された差を表すタイミング誤差を累積するレジスタ手段を有し、
上記第２の局は、上記タイミング誤差が予測された次のメッセージの受信の直前に補償されるように上記累積されたタイミング誤差に応じて上記局部タイミング回路を制御することにより、上記予測された次のメッセージの受信の前に少なくとも実質的に累積されたタイミング誤差を取り消す手段を有し、
上記局部タイミング回路は、二つの連続したメッセージ間の間隔と比較して短い間隔の範囲内で制御され、
残留タイミング誤差は、補償ステップ後、且つ、メッセージの受信後に判定され、次のメッセージの前に補償されるべき更なるタイミング誤差の累積の前に、上記レジスタ手段に格納されることを特徴とするディジタルワイヤレス通信システム。
【請求項２】
上記局部タイミング回路は、上記予側された次のメッセージの受信に近い方の時間間隔で制御される請求項１記載のディジタルワイヤレス通信システム。
【請求項３】
上記局部タイミング回路は、上記予側された次のメッセージの受信から遠い方の時間間隔で制御される請求項１記載のディジタルワイヤレス通信システム。
【請求項４】
上記第２の局が能動モードにあるとき、タイミング誤差は少なくとも１フレーム期間に亘って測定され、
上記累積されたタイミング誤差の初期評価として、１期間に亘って測定された上記タイミング誤差は、上記第２の局が省電力モードを採用するときに受信されたメッセージの狭間にあるフレーム数で乗算される請求項１乃至３のうちいずれか１項記載のディジタルワイヤレス通信システム。
【請求項５】
省電力モードは、少なくとも１回の補償ステップ後に一度に、段階的かつ実質的に延長される請求項４記載のディジタルワイヤレス通信システム。
【請求項６】
上記累積されたタイミング誤差を取り消す手段は、多数の取消ステップで上記累積されたタイミング誤差を取り消すように配置されている請求項１乃至５のうちいずれか１項記載のディジタルワイヤレス通信システム。
【請求項７】
ワイヤレス無線局が通信フレームの少なくとも一つのタイムスロットを介して他のワイヤレス無線局とワイヤレス通信するため配置され、
上記他のワイヤレス無線局は、マスタクロックを有し、同期パターンを含むメッセージを上記ワイヤレス無線局に送信するように配置され、
上記ワイヤレス無線局は、電力管理回路及び局部タイミング回路を有し、少なくとも能動受信モード及び省電力モードで動作するように制御可能であり、
上記省電力モードが上記能動モードを除く上記メッセージの受信の狭間に採用される通信システムにおいて使用するワイヤレス無線局であって、
上記ワイヤレス無線局は、メッセージの受信の狭間の所定の時間間隔中に、同期パターンの予測到達時間と実際の同期パターンの到達時間との累積された差を表すタイミング誤差を累積するレジスタ手段を有し、
上記ワイヤレス無線局は、上記タイミング誤差が予測された次のメッセージの受信の直前に補償されるように上記累積されたタイミング誤差に応じて上記局部タイミング回路を制御することにより、上記予測された次のメッセージの受信の前に少なくとも実質的に累積されたタイミング誤差を取り消す手段を有し、
上記局部タイミング回路は、二つの連続したメッセージ間の間隔と比較して短い間隔の範囲内で制御され、
残留タイミング誤差は、補償ステップ後、且つ、メッセージの受信後に判定され、次のメッセージの前に補償されるべき更なるタイミング誤差の累積の前に、上記レジスタ手段に格納されることを特徴とするワイヤレス無線局。
【発明の詳細な説明】
本発明は、ネットワークに接続された第１のワイヤレス無線局と、通信フレームの少なくとも一つのタイムスロットを用いて第１のワイヤレス無線局とワイヤレス通信するため配置された第２のワイヤレス無線局とにより構成され、上記第１の局はマスタクロックを有し、同期パターンを含むメッセージを上記第２の局に送信するため配置され、上記第２の局は、電力管理回路及び局部タイミング回路を更に有し、少なくとも能動受信モード及び省電力モードで動作するように制御可能であり、上記省電力モードが上記能動モードを除くメッセージの受信の間に利用されるディジタルワイヤレス通信システムに関する。かかるディジタルワイヤレス通信システムは、ワイヤレス無線局としてコードレス送受器を含むＦＤ／ＴＤＭＡコードレス電話方式システム、又は、データが伝送フレームのタイムスロットを用いて交換されるあらゆる他の適当なディジタルワイヤレス通信システムでもよい。
また、本発明はこのようなシステムで使用するワイヤレス無線局に関する。
上記の種類のディジタルワイヤレス通信システムは、フィリップスデータハンドブックIC17, “Semiconductors/Wireless Communications”, 1996,ページ34-37から公知である。このハンドブックのページ３７にはＤＥＣＴ送受器のブロック図が示されている。この送受器は、ページ３７に示されたコードレス基地局からメッセージを受信する２重スーパーヘテロダイン受信器からなる。また、共通データメモリとトランシーバ部との間で情報のバーストを交換する所謂バーストモードロジックが示されている。バーストは通信フレームのタイムスロットで送信及び受信される。送受器は基地局によって送信された同期パターンに同期し、基地局は主局として動作し、送受器は従局として動作する。送受器は、特に、能動モードと、省電力又は休止モードとを採用する。開示された電力管理ブロックは、送受器が省電力モードをとるときに、送受器の種々の部分がスイッチオフされるように制御し、従来技術において周知の電力管理がなされる。ページ３７に示されたフィリップス型番PCD509xの所謂ＡＢＣ（ＡＤＰＣＭコーデック、バーストモードコントローラ、及びマイクロコントローラ）チップは、市場で容易に入手可能である。ＤＥＣＴにおいて、基地局は着呼が存在することを送受器に通知するページングメッセージを送信する。送受器が省電力モードにおいてこのようなページングメッセージを認知し、基地局との同期を保つために、送受器の受信器はページングメッセージを受信する目的、並びに、同期の目的でスイッチオンされることが必要とされる。局部タイミング回路は、特に、受信器のオン側への切換を制御する。ページングメッセージ中の同期パターンは、ページングメッセージの受信から次の受信までの間に累積されたタイミング誤差を取り消すために使用される。タイミング誤差は、局部タイミング回路の不正確さ及びマスタクロックに対するドリフトによって生じ、省電力モードではかなり大きくなる可能性がある。その上、同期パターンを捕捉するため、相関ウィンドウの幅をかなり広くする必要がある。しかし、相関ウィンドウの幅が広くなると、偽の同期パターンを検出する可能性が生ずる。偽の同期パターンの検出は、正確な同期をより複雑な問題にさせる。
本発明の目的はディジタルワイヤレス通信システムを提供することである。
このため、ディジタルワイヤレス通信システムの特徴は、第２の局が、メッセージの受信間の所定の時間間隔中に、同期パターンの予測到達時間と実際の同期パターンの到達時間との累積された差を表すタイミング誤差を累積するレジスタ手段からなり、第２の局は、上記タイミング誤差が予測された次のメッセージの受信の直前に補償されるように、上記累積されたタイミング誤差に応じて上記局部タイミング回路を制御することにより、予測された次のメッセージの受信の前に上記累積されたタイミング誤差を少なくとも実質的に取り消すことである。これにより、特に、送受器が省電力モードであるとき、メッセージが予測される時間の付近のタイミング誤差は非常に小さいので、幅の狭い相関ウィンドウは同期ワードを充分に捕捉できる。本発明は、一定の時間期間に亘り累積されたタイミング誤差が所定の時間的に不安定な動作が行われる前に取り消されるという洞察に基づいている。
本発明によるディジタルワイヤレス通信システムの一実施例において、局部タイミング回路は、二つの連続したメッセージ間の間隔りも短い間隔の範囲内で制御される。これにより、最大電力節約が達成され、送受器の待機時間が増加される。待機時間が著しく増加することにより著しい経済的利点が得られる。累積されたタイミング誤差の取消は、所定の時間的に不安定な動作の直前に累積された誤差ができるだけ小さくなる限り、能動的な受信期間の狭間の任意の時点に選択して構わない。
本発明によるディジタルワイヤレス通信システムの一実施例において、第２の局が能動モードにあるとき、タイミング誤差は少なくとも１フレームに亘って測定され、上記累積されたタイミング誤差の初期評価として、１期間中に測定された上記タイミング誤差は、上記第２の局が上記省電力モードをとるときに受信されたメッセージの間にあるフレーム数で乗算される。また、本発明によるタイミング誤差補正は省電力モードに移る前に適切な初期状態をとることが実現される。
本発明によるディジタルワイヤレス通信システムの一実施例において、省電力モードは、同時に少なくとも１回の補償ステップ後に、段階的に実質的に延ばされる。さらに、電力節約は、着呼又は発呼が存在しないとき徐々に増大される。レジスタ手段の容量の限界内で、送受器のエネルギー消費が非常に少ない非常に長い待機時間が達成される。
本発明によるディジタルワイヤレス通信システムの一実施例において、残留タイミング誤差が補償ステップの後並びにメッセージの受信後に判定され、次のメッセージの前に補償されるべき更なるタイミング誤差の累積の前に上記レジスタ手段に格納される。これにより、タイミング誤差補償は、局部タイミング回路の数クロックサイクルのオーダで非常に正確に行うことができる。その上、マスタクロック及び局部タイミング回路における遅い変動は除去され得る。
本発明によるディジタルワイヤレス通信システムの一実施例において、累積されたタイミング誤差を取り消す手段は、多数の取消ステップで上記累積されたタイミング誤差を取り消すように配置されている。これにより、待機時間が非常に長い場合に、レジスタ手段への過剰な詰め込みが防止され、タイミング誤差の取消は待機期間の全体に分配される。
以下、一例として添付図面を参照して本発明を説明する。添付図面中、
図１は本発明によるディジタルワイヤレス通信システムの略構成図であり、
図２は本発明によるシステム用の第１のワイヤレス無線局を表す図であり、
図３は本発明によるシステム用の第２のワイヤレス無線局を表す図であり、
図４は本発明によるタイミング誤差補償手段を表す図であり、
図５は本発明によるタイミング誤差補償の第１の実施例のタイミングチャートであり、
図６は本発明によるタイミング誤差補償の第２の実施例のタイミングチャートであり、
図７は本発明によるタイミング誤差補償の第３の実施例のタイミングチャートである。
図面全体を通じて、同じ参照番号は同じ要素を示すため使用される。
図１には、本発明によるディジタルワイヤレス通信システム１のブロック図が概略的に示されている。一例として、ＤＥＣＴ（欧州ディジタルコードレス電気通信標準又はディジタルエンハンスドコードレス電気通信標準）システムについて説明するが、他のディジタルワイヤレス通信システムでも構わない。引用されたＤＥＣＴのより詳細な内容は、ハンドブック“Cordless Telecommunications in Europe”, H.W. Tuttlebee, Spriger Berlag, 1990, Appendix 3, pp.273-284に記載されている。このハンドブックの２７８ページに示された多重搬送波ＴＤＭＡ（時分割多重アクセス）ＴＤＤ（時分割二重）ＤＥＣＴフレーム構造は、従来技術において周知のフレーム構造であり、電波インタフェース上の上方リンク及び下方リンク方向に１２個のタイムスロットをもつ。システム１は、第１のワイヤレス無線局としてのＤＥＣＴ無線基地局２と、無線基地局２と通信する第２のワイヤレス無線局としての複数の携帯型ＤＥＣＴ無線局３及び４とからなる。無線基地局２は電話回線６を介して交換電話方式網５に接続される。網５は公衆網又は私設網のいずれでもよい。網５はアナログ又はディジタル電話網の何れでも構わない。さらに、固定した網加入者のワイヤ式電話機７は、同図に示される如く交換網５に接続されている。
図２には、本発明によるシステムの無線基地局２としての第１のワイヤレス無線局が示されている。ＤＥＣＴ規格に準拠した多重チャンネルＦＤ／ＴＤＭＡ装置である無線基地局２は、受信路２０及び送信路３０よりなり、双方ともに受信／送信スイッチ２３を介してアンテナ２２に接続される。受信路２０は、増幅器及び局部発振器を備えた第１のミキサFM IF装置に接続された帯域通過フィルタ２４からなる。かかる装置は、市場で簡単に入手できるＩＣ型番UAA2067Gでもよい。受信路２０は、更なるミキサ及びフィルタ装置２６を含む。受信路２０は、二重スーパーヘテロダインＲＦ受信器を形成する。出力側でミキサ２６は、基本的にＩＣ型番PCD5092/94の機能を有する所謂ＡＢＣ（ＡＤＰＣＭコーディング、バーストモードロジック、及びマイクロコントローラ）チップ２７に接続されている。基本ＡＢＣチップ２７は、ＤＥＣＴ規格に準拠したチャネルコントローラとして動作するバーストモードロジック２８からなる。チャネルコントローラ２８の一つの機能は、無線フロントエンド側のチャネル資源、即ち、一定の搬送波上のタイムスロットと、電話回線６との間で、Ａ／Ｄ及びＤ／Ａ変換器２９を介してデータバーストを交換することである。ＡＢＣチップは、8051型のマイクロコントローラコア３０と、電力管理回路３１とを更に有する。ＡＢＣチップは、ＡＤＰＣＭエコーコントローラ３２を更に有する。無線基地局２は、第１の受信／送信ミキサ２５に接続された二重シンセサイザ３８と、帯域通過フィルタ３３と、伝送パワー増幅器３４とを送信路２１に有し、ＡＢＣチップに接続されたＥＥＰＲＯＭ３５及び回線インタフェース３６を更に有する。１３．８２４ＭＨｚの公称周波数で動くＤＥＣＴ用の水晶マスタクロック３７は、ＡＢＣチップ２７を制御する。基本的に無線基地局２は先に引用したフィリップスデータハンドブックIC17に記載されている。
図３には、本発明によるシステムの携帯型ＤＥＣＴ無線局３としての第２のワイヤレス無線局が示されている。基本的に、かかる携帯型は上記フィリップスデータハンドブックIC17のページ３７に記載されている。ＤＥＣＴ規格に準拠した多重チャネルＦＤ／ＴＤＭＡ装置である携帯型無線局３は、受信路４０及び送信路５０により構成され、双方は受信／送信スイッチ４３を介してアンテナ４２に接続されている。受信路４０は、増幅器及び局部発振器を備えた第１のミキサFM IF装置４５に接続された帯域通過フィルタ４４からなる。かかる装置は市場で簡単に入手できるＩＣ型番UAA2067Gでもよい。受信路４０は更なるミキサ及びフィルタ装置４６を有する。かかる受信路４０は二重スーパーヘテロダインＲＦ受信器を形成する。ミキサ４６は、出力側で基本的にＩＣ型番PCD5090/91の機能を有する所謂上記のＡＢＣチップ４７に接続される。後述するように、この基本ＡＢＣチップは、本発明のようなタイミング誤差補償及び電力節約を実行するように変更される。基本ＡＢＣチップ４７は、ＤＥＣＴ規格に準拠したチャネルコントローラとして動作するバーストモードロジック４８からなる。チャネルコントローラ４８の一つの機能は、無線フロントエンド側のチャネル資源、即ち、一定の搬送波上のタイムスロットと、ベースバンド装置との間で、Ａ／Ｄ及びＤ／Ａ変換器４９を介してデータバーストを交換することである。ＡＢＣチップは、8051型のマイクロコントローラコア５０と、電力管理回路５１とを更に有する。マイクロコントローラ５０は、本発明によるタイミング誤差補正及び電力管理を行うようにプログラムされている。ＡＢＣチップ４７は、ＡＤＰＣＭコーデック５２を更に有する。携帯型無線局３は、第１の受信／送信ミキサ４５に接続された二重シンセサイザ６３と、帯域通過フィルタ５３と、伝送パワー増幅器５４とを送信路４１に有し、ＡＢＣチップに接続されたディスプレイ５５及びキーボード５６を更に有する。局部タイミング回路は、１３．８２４ＭＨｚの公称周波数で動くＤＥＣＴ用の水晶マスタクロック５７を含み、水晶マスタクロックはＡＢＣチップ４７を制御する。また、携帯型無線局３は、スピーカ５８、マイクロホン５９、ブザー又はベル６０、及び、基本ＡＢＣチップ４７に接続された外部メモリ６１からなる。チャネルコントローラ４８、マイクロコントローラ５０及びＡＤＰＣＭコーデック５２に接続された共通データメモリ６２がＡＢＣチップ４７に設けられている。
図４には、基本ＡＢＣチップ４７を変更する本発明によるタイミング誤差補償手段７０が示されている。タイミング誤差補償手段７０は、マイクロコントローラ５０と、タイミング誤差又は位相誤差レジスタ７１と、タイミング誤差又は位相誤差カウントダウンレジスタ７２と、マイクロコントローラ５０及びタイミング誤差カウントダウンレジスタとにより制御されるシステムクロック分周器又はプレスケーラ７３と、プレスケーラ７３によって周波数が分周される水晶クロック５７と、プログラミングされたマイクロコントローラ５０に実現されたシステムタイミング判定装置７４と、位相比較器７５と、相関器７６とからなる。相関器７６は、実際の同期パターンの到達時間を判定すべく、所定の同期パターンを受信された同期パターンと相関させるため配置されている。同期タイミング判定装置７４は、同期パターンの予想到達時間を与え、比較器７５は実際の到達時間と予想到達時間との位相誤差を出力に生じる。プレスケーラ７３は、内部タイミングが位相誤差に従って遅れ、又は、進められるように制御される。位相誤差は同期パターンが検出される毎に判定され、省電力モードではその間隔はかなり長い。マイクロコントローラ５０は、タイミング誤差レジスタ７１だけを監視する。同期語が検出される毎に、位相比較器７５はタイミング差を位相誤差カウントダウンレジスタ７２に格納する。次に、位相誤差カウントダウンレジスタ７２の内容はタイミング誤差レジスタ７１に写される。かくして、タイミング誤差レジスタ７１の値は、次の同期事象が発生するまで変化しない。クロック補正を行うべくプリスケーラ７３を制御すると共にレジスタ７２をカウントダウンするとき、レジスタ７１の内容は変更されないままの状態で保たれる。更に、マイクロコントローラ５０は補正後の残留位相誤差を判定することができる。計算された位相誤差レジスタ７７がマイクロコントローラ５０に接続される。
図５には、本発明によるタイミング誤差補償の第１の実施例のタイミングチャートが時間ｔの関数として示されている。携帯型無線局３が省電力モードをとる場合に、１６個のＤＥＣＴフレームのマルチフレームＭＦ１６毎に同期パターンが探索される状況が示されている。マルチフレームＭＦ１６は、ＤＥＣＴ固定部から移動部ＦＰ、並びに、移動部から固定部ＰＦに情報を交換するタイムスロットを備えたフレームＦＲ０，ＦＲ１，．．．，ＦＲ１５からなる。拡大された時間スケールｔ’上に上記タイムスロット、即ち、フレームＦＲ０に先行するフレームＦＲ１５’に対する１２個のＰＦ’タイムスロットと、フレームＦＲ０に対する１２個のＦＰタイムスロットとが示されている。省電力モードにおいて、データ受信は、１マルチフレーム毎にスロットＲＳ及びＲＳ’の間に限りスイッチがオンされる。これらのタイムスロットは更に拡大された時間スケールｔ”上に示され、受信された同期パターンＳＹＮＣの後にページングメッセージＰＭＥＳが続く。本発明によるタイミング誤差補正を適用する場合、相関器７６は、幅の狭い時間ウィンドウＷＩＮの間だけで動作する必要がある。拡大されていない時間スケールｔ上に示されているように、タイミング誤差の累積は省電力モードにおける同期パターンＳＹＮＣの検出の狭間で行われる。零誤差レベルＺＬに対し、タイミング誤差は時点ｔ１でレベルＥＬまで累積されている。本発明によれば、次のマルチフレーム内の次の予測同期パターンの受信の前に、プレスケーラ７３は、次の予測同期パターンの直前にタイミング誤差が実質的又は本質的に零レベルまで低下されているように制御される。これはレジスタ７２をカウントダウンすることにより行われる。位相誤差は、クロック５７のクロックサイクルの単位で記憶され得る。典型的にＤＥＣＴ最大値であるマスタクロックの１０ｐｐｍの精度及びクロック５７の２５ｐｐｍの精度で、１６フレーム省電力モードの最大タイミング誤差は７８クロックサイクルに達する。二つのクロック周期の誤差が１２５マイクロ秒の１フレーム毎に取り消され得るならば、次の同期パターンの受信よりも先行した少なくとも４０個の音声フレーム、又は、５ミリ秒に亘る１２個のタイムスロットが累積された位相誤差を補正するため必要とされる。これは、図５において、時間スケールｔ’の時点ｔ２’と、時間スケールｔ上の時点ｔ２とによって示されている。さらに、累積された位相誤差をレジスタ７１に入れるロードパルスＬＤが時点ｔ１に示されている。時点ｔ３において、原則として、位相誤差が再度累積する。クロック５７は変更されることなく維持されるべきである。タイミング誤差補正は局３が能動モードにあるときにも行われる。その場合、取消は、比較的低速で、例えば、１音声フレーム当たり２クロック周囲で行われるべきである。省電力モードでは、音声信号が現れないので、取消は非常に高速に行うことができる。本実施例において、取消は１音声フレームの長さにつき１４４クロック周期と同程度の速度で行うことが可能である。タイミング誤差判定の初期化の問題を巧く処理するため、位相誤差の初期評価として、タイミング誤差が単一のフレームだけに亘って判定され、一方、携帯型局は能動状態を維持し、即ち、ＤＥＣＴにおいて、１０ｍｓｅｃの時間間隔に亘るタイミング誤差が判定される。１６フレームのマルチフレーム省電力モードに対し、初期マルチフレームタイミング誤差評価として、単一フレームのタイミング誤差が１６倍される。従って、本発明による所謂先行補正が適用される。著しく精度の優れた補正のため、省電力モードにおいて残留タイミング誤差がページングメッセージＰＭＥＳの受信後に判定される。この誤差は、基本的な先行タイミング誤差補正後に残存する誤差である。このように判定された残留誤差は、先行誤差補正の直前に２個の同期パターンの間で判定されたタイミング誤差に加えられる。その結果として非常に正確な補正が実現され、ウィンドウＷＩＮは最小値として２ビットの時間まで小さくすることができる。省電力期間は、６４フレーム若しくはそれより長い周期のマルチフレームモードまで容易に延ばすことが可能である。省電力モード又は休止モードにおいて、使用される特定のハードウェアに依存して、著しい電力節約が実現される。本実施例において、レジスタ７１、７２及び７７は以下の通り協働する。局３が能動モードにある間に、局３は１０ミリ秒毎にメッセージを受信する。レジスタ７２は、単一のＤＥＣＴフレームに亘るタイミング又は位相誤差の測定値を記憶する。測定の直後に、位相誤差はレジスタ７２からレジスタ７１に複写される。スロットＲＳにおいて、マイクロコントローラ５０は、測定された位相誤差をレジスタ７１から読み、測定された位相誤差を１６倍し、このようにして計算された位相誤差をレジスタ７７に格納する。次に、局３は省電力モードに移る。ソフトウェアパルスＬＤで、レジスタ７７の内容はレジスタ７１に複写され、直ちにレジスタ７１に複写される。取消期間ＵＰ中に、上記の如くプレスケーラに影響を与えると同時に、レジスタ７２をカウントダウンすることにより補正が行われる。取消期間ＵＰの終了と次の同期パターンの検出との間で、位相誤差が累積し、レジスタ７１及び７２の両方に格納され、レジスタ７１及び７２は残留タイミング誤差を収容する。ページングメッセージＰＭＥＳの解析中に、マイクロコントローラ５０はレジスタ７１から残留タイミング誤差を読み、残留誤差をレジスタ７７の内容に加える。次のパルスＬＤで、計算された位相誤差はレジスタ７２及び７１に再度複写される。単一の省電力期間と同程度に短い期間の間に、丸め誤差により生じた残留誤差は零に収束する。従って、温度変化等に起因した低速ドリフト現象によって生じる小さい残留誤差だけが残る。１省電力期間後に、ウィンドウＷＩＮは非常に小さくすることができる。
図６には、本発明によるタイミング誤差補償の第２の実施例のタイミングチャートが示されている。同図から分かるように、累積された位相誤差の取消は、メッセージＲＳの受信とメッセージＲＳ’の受信の間に始まる。取消期間ＵＰの最後に、取消は零レベルＺＬより下まで進むが、時点ｔ３で位相誤差は零レベルＺＬに戻る。
図７には、本発明によるタイミング誤差補償の第３の実施例のタイミングチャートが示されている。同図には、メッセージが６４フレーム毎に検出される６４フレーム周期の省電力モードが示され、マルチフレームＭＦ６４は、フレームＦＲ０，ＦＲ１，．．．，ＦＲ６３を含む。本実施例において、累積された位相誤差の取消は、二つの取消期間ＵＰ１及びＵＰ２に亘って分配され、それぞれ誤差レベルＥＬ１及びＥＬ２が取り消される。取消はロードパルスＬＤ１及びＬＤ２により初期化される。次の同期パターンの受信の直前の時点ｔ３において、タイミング誤差は本質的に零である。二つ以上の取消期間に亘る分配は、非常に長い省電力期間を適用する際にレジスタが過負荷になるという問題を解決する。
【図１】
0003907704.tif 000002
【図２】
0003907704.tif 000003
【図３】
0003907704.tif 000004
【図４】
0003907704.tif 000005
【図５】
0003907704.tif 000006
【図６】
0003907704.tif 000007
【図７】
0003907704.tif 000008